(57)【要約】【課題】能動的撥水動作を行って水濡れ，浸水等に起因する機能不良の発生を抑止し得る音声記録再生装置を提供する。【解決手段】外部機器との接続を確保するための電気的接続用開口部６１，６２を備えた音声記録再生装置１において、電気的接続用開口部を経由して音声信号を入出力する音声入出力部９と、電気的接続用開口部の水濡れ状態及び筐体内の気圧を感知する感知部３７と、筐体内面に固定された超音波振動発生部材７３と、超音波振動発生部材を駆動するための交流電圧を生成する励振電圧発生部材３６と、超音波振動発生部材が駆動中であることを告知する告知部３８と、超音波振動発生部材の駆動開始と駆動停止とを切り換える操作設定部材６８と、超音波振動発生部材が駆動中の筐体内を正圧化する筐体内正圧化部材７５と、音声記録再生部による録音動作及び再生動作を含む一連の制御を統括的に行なうシステム制御部２９とを具備する。【選択図】図３
2016018004.tif 000002
【特許請求の範囲】
【請求項１】
外部機器との接続を確保するための電気的接続用開口部を備えた音声記録再生装置において、
上記電気的接続用開口部を経由して音声信号を入出力する音声入出力部と、
上記電気的接続用開口部の水濡れ状態及び筐体内の気圧を感知する感知部と、
筐体内面に固定された超音波振動発生部材と、
上記超音波振動発生部材を駆動するための交流電圧を生成する励振電圧発生部材と、
上記超音波振動発生部材が駆動中であることを告知する告知部と、
上記超音波振動発生部材の駆動開始と駆動停止とを切り換える操作設定部材と、
上記超音波振動発生部材が駆動中の筐体内を正圧化する筐体内正圧化部材と、
上記音声入出力部による録音動作及び再生動作を含む一連の制御を統括的に行なうシステム制御部と、
を具備することを特徴とする音声記録再生装置。
【請求項２】
上記感知部による水濡れ状態の感知又は上記設定操作部による駆動開始又は駆動停止の切り換え設定に基づいて、上記超音波発生部材の駆動開始又は駆動停止を自動的に又は手動的に行って、筐体表面及び上記電気的接続用開口部に付着した液滴を霧化させ飛散させる液滴除去動作を実行させることを特徴とする請求項１に記載の音声記録再生装置。
【請求項３】
上記液滴除去動作の実行中には、上記音声入出力部による録音動作及び再生動作を禁止すると共に、上記告知部による告知表示を実行することを特徴とする請求項１に記載の音声記録再生装置。
【請求項４】
上記音声入出力部による録音動作又は再生動作の実行中には、上記励振電圧発生部による交流電圧の生成を禁止すると共に、上記告知部による告知表示を実行することを特徴とする請求項１に記載の音声記録再生装置。
【請求項５】
上記液滴除去動作の実行中に霧化し飛散した液滴が筐体内部若しくは上記電気的接続用開口部に再度流入しないように、上記筐体内正圧化部材によって筐体内の正圧化を行うと共に、上記超音波振動発生部材の駆動開始時から駆動停止時までの間は、筐体内の正圧状態化を保持することを特徴とする請求項１に記載の音声記録再生装置。
【発明の詳細な説明】
【技術分野】
【０００１】
この発明は、能動的撥水機能を備えた音声記録再生装置に関するものである。
【背景技術】
【０００２】
周知のように、音声信号をデジタルデータに変換した後、そのデジタルデータをフラッシュメモリ等の書き換え可能な記憶媒体に記憶し、当該フラッシュメモリ等の記憶媒体に記憶された音声データをアナログ変換した後、音声として再生し得るように構成し、小型で軽量に形成された携帯型の音声記録再生装置（いわゆるＩＣレコーダ等）が実用化され、製品化されて広く普及している。
【０００３】
近年、音声記録再生装置等のように、使用者（ユーザ）が携帯して使用できるようにした小型軽量の携帯型電子機器においては、さらなる使い勝手の良さが求められており、例えば防水機能の付加や、防水性能の向上等、各種の性能向上の要望が挙げられている。
【０００４】
ここで、防水性能とは、例えば防水試験方法（ＪＩＳ  Ｃ０９２０）等によって規定される内容、即ち、水に対する保護等級（ＩＰＸ１：鉛直に落下する水滴に対して保護する〜ＩＰＸ８：潜水状態での使用に対して保護する）をいうものとする。特に、音声記録再生装置等の携帯型電子機器においては、通常生活環境下での防水性能として、水の飛沫に対する保護等級（ＩＰＸ４）が指標として、しばしば引用される。
【０００５】
ところで、音声記録再生装置等の携帯型電子機器においては、例えば音声信号入出力用の外部コネクタ（具体的にはマイクロフォンジャックやイヤフォンジャック等）が、その本体を構成する筐体の外装面上に設けられている。これらの外部コネクタにおいては、例えばその一端を形成するリード電極側は、音声記録再生装置等の内部構成部品である電気基板面上のランドパターンにハンダ付けされているのが普通である。一方、外部コネクタの他端を形成し上記外部コネクタ（ジャック等）が挿し込まれる開口部側は、外部機器との接続をスムーズに行い得るようにするために、外装筐体の外壁に露呈して形成されているのが一般である。このような開口部に対して、例えば水の飛沫等による水垂れ，浸水，水濡れ放置がなされると、しばしば故障等の重大な不具合に至り易い。したがって、これら開口部からの水の飛沫等の侵入に対しては、何らかの対処を施す必要がある。
【０００６】
そこで、例えば特開２０１２−２０５０８３号公報等においては、携帯端末の開口部（例えばイヤフォンジャック等）及びそれら開口部を覆うカバー部の水濡れを検出する構成についての開示がなされている。
【０００７】
また、特開特開２０１３−１９７３９号公報等においては、音声信号出力用コネクタ部（例えばイヤフォンジャック等）の水濡れによる短絡を検出する構成が開示されている。さらに、特開２０１４−１０９７１３号公報等によって開示されているように、空気等によって水滴を吹き飛ばすものもあった。
【先行技術文献】
【特許文献】
【０００８】
【特許文献１】特開２０１２−２０５０８３号公報
【特許文献２】特開２０１３−１９７３９号公報
【特許文献３】特開２０１４−１０９７１３号公報
【発明の概要】
【発明が解決しようとする課題】
【０００９】
ところが、上記特開２０１２−２０５０８３号公報や上記特開２０１３−１９７３９号公報等においては共に、水濡れ後の撥水によって端子保護する構成については言及しておらず、水濡れを検出した後、その旨の警告を発することが開示されているのみである。特開２０１４−１０９７１３号公報等においては、空気等によって水滴を吹き飛ばす技術が開示されているが、空気等によって水滴を吹き飛ばすためには多大なエネルギーを要する。
【００１０】
一般に、電子機器等における開口部への水垂れや浸水は、開口部（ジャック等）の内側の金属接片を腐食させ、接触不良を誘発し易いことが周知である。従来において、防水性能を有して構成される開口部（ミニジャック等）が実用化されているが、そのような構成のものであっても、水濡れや浸水等に起因して機能不良が発生するリスクレベルは同様である。
【００１１】
それゆえに、水濡れ等に起因して機能不良が発生することを抑止し、又は軽減するためには、上記特開２０１２−２０５０８３号公報や上記特開２０１３−１９７３９号公報等においては開示しているように、水濡れ検出を行って、単に警告を行うだけでは不十分であると考えられる。特開２０１４−１０９７１３号公報等によって開示されているような技術を用いた場合にも小型の携帯機器では電池の大きさや装置の大型化等によって実現困難であった。
【００１２】
本発明は、上述した点に鑑みてなされたものであって、その目的とするところは、通常生活環境下における使い勝手を阻害することなく、かつ、対象とする音声等の記録時には録音品質を損ねることなく、また誤動作を生じさせることなく、能動的かつ確実に撥水動作を行って、水濡れや浸水等に起因する機能不良が生じることを抑止することができ、また、省エネ仕様とし、かつ小型で廉価な構成にできる音声記録再生装置を提供することである。
【課題を解決するための手段】
【００１３】
上記目的を達成するために、本発明の一態様の音声記録再生装置は、外部機器との接続を確保するための電気的接続用開口部を備えた音声記録再生装置において、上記電気的接続用開口部を経由して音声信号を入出力する音声入出力部と、上記電気的接続用開口部の水濡れ状態及び筐体内の気圧を感知する感知部と、筐体内面に固定された超音波振動発生部材と、上記超音波振動発生部材を駆動するための交流電圧を生成する励振電圧発生部材と、上記超音波振動発生部材が駆動中であることを告知する告知部と、上記超音波振動発生部材の駆動開始と駆動停止とを切り換える操作設定部材と、上記超音波振動発生部材が駆動中の筐体内を正圧化する筐体内正圧化部材と、上記音声入出力部による録音動作及び再生動作を含む一連の制御を統括的に行なうシステム制御部と、を具備する。
【発明の効果】
【００１４】
本発明によれば、通常生活環境下における使い勝手を阻害することなく、かつ、対象とする音声等の記録時には録音品質を損ねることなく、また誤動作を生じさせることなく、能動的かつ確実に撥水動作を行って、水濡れや浸水等に起因する機能不良が生じることを抑止することができ、また、省エネ仕様とし、かつ小型で廉価な構成にできる音声記録再生装置を提供することができる。
【図面の簡単な説明】
【００１５】
【図１】本発明の一実施形態の音声記録再生装置の概略的な構成を示す外観斜視図
【図２】図１の音声記録再生装置における内部構成物のうち特に超音波振動発生用アクチュエータ（超音波振動発生部材）と筐体内正圧化用アクチュエータ（筐体内正圧化部材）との配置を示す概略図
【図３】図１の音声記録再生装置の内部構成を示すブロック構成図
【図４】図１の音声記録再生装置における二つのアクチュエータ及び各駆動部の等価回路図
【図５】図１の音声記録再生装置の作用の流れを示すフローチャート（メインルーチン）
【図６】図５のメインルーチンにおける液滴除去処理（ステップＳ１９）のサブルーチンを示すフローチャート
【図７】図６のフローチャート中における液滴除去＆駆動処理（ステップＳ６３）のサブルーチンを示すフローチャート
【図８】図１の音声記録再生装置における作用の変形例を示すフローチャート
【発明を実施するための形態】
【００１６】
以下、図示の実施の形態によって本発明を説明する。以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１７】
まず、本発明の一実施形態の音声記録再生装置の概略的な構成を、以下に説明する。図１〜図４は、本発明の一実施形態の音声記録再生装置の概略的な構成を示す図である。このうち図１は本実施形態の音声記録再生装置の外観斜視図である。図２は本実施形態の音声記録再生装置における内部構成物のうち特に超音波振動発生用アクチュエータ（超音波振動発生部材）と筐体内正圧化用アクチュエータ（筐体内正圧化部材）との配置を示す概略図である。図３は本実施形態の音声記録再生装置の内部構成を示すブロック構成図である。図４は本実施形態の音声記録再生装置における二つのアクチュエータ及び各駆動部の等価回路図である。
【００１８】
本実施形態の音声記録再生装置１は、装置本体６３と、複数の操作設定部材（６４〜７１等）と、表示部７２等によって構成されている。
【００１９】
装置本体６３は、各種構成部材を内部に収納配置するために、例えば金属部材又はプラスチック部材等を用いて略直方体形状に形成された筐体部材である。この装置本体６３には、複数の開口が形成されている。これら複数の開口は、当該装置本体６３の内部に設けられる入出力部材に対応して設けられている。具体的には、図１に示すように、例えば内蔵マイクロフォン（ＭＩＣ）２０（音声入力部材；図３参照）に対応する内蔵マイク用開口６０や、外部接続用マイクジャック６１（音声入力部材）に対応するマイクジャック用開口，イヤフォンジャック６２（音声出力部材）に対応するイヤフォンジャック用開口等がある。ここで、外部接続用マイクジャック６１，イヤフォンジャック６２等は、当該音声記録再生装置１と外部機器（例えば外部マイクロフォン，イヤフォン等；不図示）との電気的な接続を行うための電気部品である。つまり、外部接続用マイクジャック６１，イヤフォンジャック６２等には、電気的接続用開口部であるマイクジャック用開口，イヤフォンジャック用開口等が形成されている。
【００２０】
また、図１には図示されていないが、上記各開口（６１，６２等）が設けられている一側面とは別の側面には、例えば内蔵スピーカ（ＳＰ）２７（音声出力部材；図３参照）に対応する内蔵スピーカ用開口等も形成されている。さらに、例えば後述する記憶部（メモリ）３２（図３参照）に含まれる着脱自在に構成される記録媒体（不図示）を着脱するための記録媒体用開口等がある。この記録媒体用開口には、例えば開閉自在の蓋部材を設けることで、外部から遮蔽し得るような構造とし、当該蓋部にシーリングを施すような構成としてもよい。なお、装置本体６３に設けられる上記複数の開口の配置は、上述した例に限られることはなく、音声記録再生装置１の内部構成物の配置によって適宜、所定の部位に設けられるものである。
【００２１】
複数の操作設定部材（６４〜７１等）は、上記装置本体６３の外表面上に配置されることにより、当該装置本体６３内部に配設された電気基板上のスイッチ部材等に作用することで、各所定の指示信号を発生させるための操作設定部材である。操作設定部材の形態としては、例えば押圧操作式やスライド操作式，回転操作式等、様々な形態の操作設定部材が適用され得る。
【００２２】
複数の操作設定部材（６４〜７１等）の具体的な構成例としては、図１に示すように、例えば消去操作を行うための消去ボタン（ＥＲＡＳＥ）６４，再生位置の早戻し操作を行うための早戻しボタン（ＲＥＷ）６５，再生指示を行うための再生ボタン（ＰＬＡＹ）６６，停止指示を行うための停止ボタン（ＳＴＯＰ）６７，再生位置の早送り操作を行うための早送りボタン（ＦＦ）７０，録音指示を行うための録音ボタン（ＲＥＣ）７１，メニュー表示を呼び出したり取り消したりする際に用いるメニューボタン（ＭＥＮＵ）６９，液滴強制除去（詳細は後述する）の開始指示を行うための液滴強制除去ボタン（Ｕ−ＳＯＮＩＣ）６８等、各種の操作設定部材がある。これら複数の操作設定部材（６４〜７１等）は、使用者（ユーザ）が操作し易いように、例えば装置本体６３の正面側の外表面上に配設されている。
【００２３】
表示部７２は、当該音声記録再生装置１の状態表示、例えば記録動作時や再生動作時においては、記録日時や記録時間若しくは再生時間の経過時間，残存メモリ容量，残存バッテリ容量，ファイル名，ファイル番号，記録ファイル種別，設定されている動作モード状態，記録音声レベル状態，設定済み項目や日時表示等、各種の状態表示を行う一方、メニュー表示を行って各種設定を行う際の各種設定項目等を表示する表示装置である。表示部７２は、図１に示すように、その表示画面を上記装置本体６３の正面側外表面上において外面に向けて配置されている。なお、表示部７２としては，例えば液晶表示（Liquid Crystal Display；ＬＣＤ）装置や有機エレクトロルミネッセンス（有機ＥＬ；Organic Electro-Luminescence：ＯＥＬ）表示装置等が適用される。
【００２４】
次に、上記音声記録再生装置１の内部構成の概略を、以下に説明する。図３に示すように、本実施形態の音声記録再生装置１は、音声記録再生ユニット９（音声入出力部）と、システム制御部２９と、記憶部３２と、表示部７２と、操作スイッチ（ＳＷ）部３１と、超音波振動発生用アクチュエータ７３（超音波振動発生部材）と、筐体内正圧化用アクチュエータ７５（筐体内正圧化部材）と、アクチュエータ駆動部（以下、単に駆動部と略記する）３６と、水濡れ及び内圧感知部３７（以下、単に感知部３７と略記する）と、告知部３８等によって主に構成されている。
【００２５】
音声記録再生ユニット９は、音声を入力して音声データ化する音声入力部３３と、記録済みの音声データを音声として出力する音声出力部３４と、音声データをデジタル信号として処理するデジタル信号処理部（デジタルシグナルプロセッサ；ＤＳＰ）２８等によって構成されている。この音声記録再生ユニット９は、電気的接続用開口部（６１，６２）を経由して音声信号を入出力する音声入出力部として機能する構成ユニットである。
【００２６】
上記音声入力部３３は、音声入力部材としての内蔵マイクロフォン（ＭＩＣ）２０及び外部接続用マイクジャック６１と、マイクアンプ（ＡＭＰ）２１と、ローパスフィルタ（ＬＰＦ）２２と、ＡＤ変換器（アナログデジタルコンバータ；ＡＤＣ）２３とからなる。
【００２７】
上記音声入力部３３において、内蔵マイクロフォン（ＭＩＣ）２０は、音声を入力して音声信号に変換する音声入力部材である。また、外部接続用マイクジャック６１は、不図示の外部マイクロフォンの接続用プラグを挿入接続することで、当該外部マイクロフォンから出力される音声信号を入力する音声入力部材である。なお、上記内蔵マイクロフォン（ＭＩＣ）２０と外部接続用マイクジャック６１とは、いずれか一方のみが有効となるように自動的な選択切り換えが行われるように制御されている。
【００２８】
録音動作時においては、内蔵マイクロフォン（ＭＩＣ）２０若しくは外部接続用マイクジャック６１のいずれかから出力されるアナログ音声信号は、後段のマイクアンプ（ＡＭＰ）２１に入力されて所定レベルまで増幅される。その後、後段のローパスフィルタ（ＬＰＦ）２２へと入力されて、不要な周波数帯域がカットされる。そして、ＡＤ変換器（ＡＤＣ）２３へと入力されて、デジタル音声信号（量子化データ）に変換される。
【００２９】
こうして生成されたデジタル音声信号（量子化データ）は、デジタル信号処理部（ＤＳＰ）２８へと出力される。これを受けて、デジタル信号処理部（ＤＳＰ）２８は、当該デジタル音声信号をフレーム単位で所定のフォーマットの音声データに符号化する圧縮処理を施す。この音声データは、システム制御部２９へと送られて、内部バッファメモリ（不図示）に一時的に記憶される。なお、録音動作時においては、上記の符号化処理と、生成された音声データの上記内部バッファメモリへの記憶動作処理とが連続的に行なわれる。
【００３０】
そして、上記システム制御部２９の内部バッファメモリに一時記憶された音声データは、例えばＦＩＦＯ（Ｆｉｒｓｔ Ｉｎ Ｆｉｒｓｔ Ｏｕｔ）の手順によって、システム制御部２９から記憶部３２へと出力され、当該記憶部３２における記憶媒体の所定領域に順次記憶される。
【００３１】
一方、上記音声出力部３４は、ＤＡ変換器（デジタルアナログコンバータ；ＤＡＣ）２４と、ローパスフィルタ（ＬＰＦ）２５と、パワーアンプ（ＡＭＰ）２６と、音声出力部材としてのスピーカ（ＳＰ）２７及びイヤフォンジャック６２とからなる。
【００３２】
上記音声出力部３４は、ＤＡ変換器（デジタルアナログコンバータ；ＤＡＣ）２４と、ローパスフィルタ（ＬＰＦ）２５と、パワーアンプ（ＡＭＰ）２６と、音声出力部材としてのスピーカ（ＳＰ）２７及びイヤフォンジャック６２とからなる。
【００３３】
上記音声出力部３４において、スピーカ（ＳＰ）２７は、音声信号を音声として出力する音声出力部材である。また、イヤフォンジャック６２は、不図示のイヤフォンの接続用プラグを挿入接続することで、音声信号を当該イヤフォンへと出力する音声出力部材である。なお、上記スピーカ（ＳＰ）２７とイヤフォンジャック６２とは、いずれか一方のみが有効となるように自動的な選択切り換えが行われるように制御されている。
【００３４】
再生動作時においては、上記デジタル信号処理部（ＤＳＰ）２８は、上記記憶部３２から内部バッファメモリ（不図示）に対してＦＩＦＯ（Ｆｉｒｓｔ Ｉｎ Ｆｉｒｓｔ Ｏｕｔ） の手順で記憶済みの音声データを順次読み出して、フレーム単位で所定の復号化フォーマットのデジタル音声信号に復号化する伸長処理を施す。こうして複合化されたデジタル音声信号は、後段のＤＡ変換器（ＤＡＣ）２４においてアナログ音声信号に変換される。その後、後段のローパスフィルタ（ＬＰＦ）２５にて不要な周波数帯域がカットされる。そして、パワーアンプ（ＡＭＰ）２６において増幅されてスピーカ（ＳＰ）２７へと出力されて、当該スピーカ（ＳＰ）２７にて音声として出力される。
【００３５】
システム制御部２９は、上記音声記録再生ユニット９の録音動作及び再生動作に係わるシーケンス動作をはじめとして、当該音声記録再生装置１を統括的に制御する機能を備えた制御回路部であり、例えばＣＰＵ（Central Processing Unit）等によって構成されている。
【００３６】
このシステム制御部２９には、上記デジタル信号処理部（ＤＳＰ）２８のほか、記憶部３２，操作スイッチ（ＳＷ）部３１，表示部７２，駆動部３６，感知部３７，告知部３８等が電気的に接続されている。
【００３７】
記憶部３２は、不揮発性の半導体メモリ、例えばフラッシュメモリ等で構成されるデータ記憶部である。この記憶部３２は、装置本体６３内部に固定される電気基板上に実装される半導体素子によってもよいし、また、これとは別に、若しくはこれに加えて、着脱自在に配設される記憶媒体（例えばメモリカード等）を含めて構成してもよい。
【００３８】
表示部７２は、上述したように、当該音声記録再生装置１の状態表示を行ったり、各種設定のためのメニュー表示等を行う表示装置である。
【００３９】
超音波振動発生用アクチュエータ７３及び筐体内正圧化用アクチュエータ７５は、装置本体６３の内部において、例えば図２に示すように、装置本体６３における背面側外装部材の筐体内面部６３ａの所定位置に固定されており、超音波振動の発生に適した圧電素子（または圧電セラミックスとも言う）等によって構成される。
【００４０】
超音波振動発生用アクチュエータ７３は、超音波振動を発生させることによって、上記外部接続用マイクジャック６１，イヤフォンジャック６２等の電気的接続用開口部の内部若しくは近傍に付着した液滴等を霧化させ飛散させるために設けられている。
【００４１】
筐体内正圧化用アクチュエータ７５は、上記超音波振動発生用アクチュエータ７３が駆動している状態の装置本体６３の筐体内部を正圧化するために設けられている。ここで、超音波振動中の筐体内を正圧化させているのは、上記超音波振動発生用アクチュエータ７３の超音波振動によって霧化され飛散した液滴等が上記電気的接続用開口の内部若しくは近傍から筐体内部等へ再度流入してしまうことを抑止するためである。上記筐体内正圧化用アクチュエータ７５は、例えば空気ポンプ等の空気吐出圧によって正圧化を行い得るように構成されている。なお、本実施形態においては、超音波振動発生用アクチュエータ７３と、筐体内正圧化用アクチュエータ７５とを別に設けて構成しているが、筐体内正圧化用アクチュエータ７５は超音波振動発生用アクチュエータ７３と兼用として構成してもよい。
【００４２】
駆動部３６は、上記超音波振動発生用アクチュエータ７３及び筐体内正圧化用アクチュエータ７５を駆動するための交流電圧を生成する励振電圧発生部材である。当該駆動部３６が生成した数十〜数百ｋＨｚの交流電圧を印加することにより、筐体内面に固定した上記超音波振動発生用アクチュエータ７３又は筐体内正圧化用アクチュエータ７５を超音波振動させる。これによって、筐体面等に起きるキャビテーション作用によって筐体外面及び電気的接続用開口部の内部若しくは近傍に付着した液滴等が霧化させ飛散させることができる。このように霧状飛散によって、重たい水滴を飛ばす必要がなくなり、小型省エネの構成にでき、早い乾燥によるすぐに使える効果も期待できる。
【００４３】
操作スイッチ（ＳＷ）部３１は、上記複数の操作設定部材（６４〜７１等）に連動して各操作設定部材にそれぞれ対応する指示信号を発生させるための複数のスイッチ部材からなる。例えば、操作スイッチ（ＳＷ）部３１には、液滴強制除去ボタン（Ｕ−ＳＯＮＩＣ）６８の操作を受けて作用して、超音波振動発生用アクチュエータ７３の駆動開始や駆動停止を指示する指示信号を発生させるスイッチ部等を有している。
【００４４】
感知部３７は、電気的接続用開口部を有する外部接続用マイクジャック６１やイヤフォンジャック６２の内部若しくは近傍における水濡れ状態を感知するための水濡れセンサと、装置本体６３の筐体内圧を感知する気圧センサ等によって構成される。なお、水濡れセンサとしては、例えば電気的抵抗値の変化等又は光学的透過率の変化等を検出するセンサ素子が適用されている。
【００４５】
告知部３８は、上記超音波振動発生用アクチュエータ７３が駆動中であることを、例えば主に視覚的によって使用者（ユーザ）に告知する構成部である。具体的には、例えば、ＬＥＤによる点灯若しくは点滅表示を行う構成のほか、告知用の小型液晶表示装置によってもよく、また、表示部７２の所定領域を用いて所定の表示（アイコン表示等）を行うような制御を行ってもよい。
【００４６】
次に、上記超音波振動発生用アクチュエータ７３及び筐体内正圧化用アクチュエータ７５と、上記駆動部３６の等価回路について、図４を用いて以下に簡単に説明する。
【００４７】
図４において、上記超音波振動発生用アクチュエータ７３は、上記装置本体６３の外面や上記各ジャック６１，６２等の電気的接続用開口部の内部若しくは近傍に付着した液滴等を霧化させ飛散させるための圧電素子等である。超音波振動発生用アクチュエータ７３は、例えば装置本体６３における筐体内面部６３ａの所定の位置に固定されている（図２も参照）。
【００４８】
また、同図４において、筐体内正圧化用アクチュエータ７５は、上記超音波振動発生用アクチュエータ７３による霧化及び飛散中の液滴が再流入するのを抑制する目的で設けられる筐体内正圧化用のアクチュエータである。そのために、この筐体内正圧化用アクチュエータ７５が設けられている装置本体６３の部位、即ち筐体内面部６３ａの所定の位置に対応する外表面側には、図４に示すように、例えば略尖鋭的な凸形状に形成され、中心に貫通口を有する空気取り入れ口５７ａが設けられている。なお、図示を省略しているが、上記空気取り入れ口５７ａには、封止弁が設けられている。
【００４９】
筐体内正圧化用アクチュエータ７５が所定の周波数（数十ｋＨｚ）で振動することによって、装置本体６３の筐体外の空気が上記空気取り入れ口５７ａから連続的に流入しかつ上記封止弁によって、その逆流が阻止される。したがって、装置本体６３の筐体内の正圧化を保つことができる。
【００５０】
超音波振動発生用アクチュエータ７３及び筐体内正圧化用アクチュエータ７５の取り付け位置においては、各圧電素子の支持の確実性を兼ねて筐体内面部６３ａにおける内壁面をやや凹ませて、その凹み内部に圧電素子を固定配置するようにしてもよい。特に、筐体内正圧化用アクチュエータ７５を取り付ける部位に設けられる空気取り入れ口５７ａの直下部分においては、装置本体６３の筐体外の空気が効率よく筐体内に流入することが望ましく、上記凹みを形成することによって、例えばポンプ室として機能するような空隙を持たせてもよい。
【００５１】
図４に示すように、超音波振動発生用アクチュエータ７３及び筐体内正圧化用アクチュエータ７５を駆動する駆動部３６は、交流電圧発生回路５０，５２と、直流阻止用コンデンサ５１，５３とによって構成されている。
【００５２】
交流電圧発生回路５０のａ端は、直流阻止用コンデンサ５１を介して超音波振動発生用アクチュエータ７３のａ'端に接続されている。また、交流電圧発生回路５０の他の一端であるｂ端は、超音波振動発生用アクチュエータ７３のｂ'端に接続されている。これと同様に、交流電圧発生回路５２のｃ端は、直流阻止用コンデンサ５３を介して筐体内正圧化用アクチュエータ７５のｃ'端に接続されている。また、交流電圧発生回路５０の他の一端のｄ端は筐体内正圧化用アクチュエータ７５のｄ'端に接続されている。
【００５３】
交流電圧発生回路５０は、上記システム制御部２９（図２参照）から出力された数十〜数百ｋＨｚの矩形波信号［ｆｒ１］によって、概振幅ＶＣＣ１の交流電圧をａ端及びｂ端に出力する。ただし、矩形波信号［ｆｒ１］に対してａ端の位相が反転しているので、超音波振動発生用アクチュエータ７３には概振幅ＶＣＣ１の２倍の電圧が印加される。
【００５４】
一方、交流電圧発生回路５２は、上記システム制御部２９（図２参照）から出力される数十〜数百ｋＨｚの矩形波信号［ｆｒ２］によって、概振幅ＶＣＣ２の交流電圧をｃ端及びｄ端に出力する。ただし、矩形波信号［ｆｒ２］に対してｃ端の位相が反転しているので、筐体内正圧化用アクチュエータ７５には概振幅ＶＣＣ１の２倍の電圧が印加される。
【００５５】
これら交流電圧の概振幅（ＶＣＣ１、ＶＣＣ２）及び矩形入力信号［ｆｒ１］，［ｆｒ２］の各周波数を加減することによって、超音波振動発生用アクチュエータ７３及び筐体内正圧化用アクチュエータ７５の圧電素子の駆動能力を無駄なく最適な値に設定することができる。
【００５６】
また、受動的な防水部材（シーリング等）が具備されており、これによって装置本体６３の筐体内部の気密性が十分に保持できるような構造を有する場合には、上記筐体内正圧化用アクチュエータ７５や、上記空気取り入れ口５７ａ等を省略することも可能である。同様に、駆動部３６を構成する交流電圧発生回路５２及び直流阻止用コンデンサ５３や、感知部３７（図３参照）の気圧センサ等をも省略することができる。
【００５７】
以上のように構成される本実施形態の音声記録再生装置１を用いて音声記録動作（以下、録音動作という）及び音声再生動作を行う際の作用を、以下に簡単に説明する。
【００５８】
まず、録音動作を行う際の作用を説明する。装置本体６３に設けられる複数の操作設定部材のうち録音ボタン（ＲＥＣ）７１をオンすると録音動作が開始する。このとき、表示部７２には録音動作状態であることを表す所定の状態表示が表示され、使用者（ユーザ）に現在の状態が告知されている。したがって、使用者（ユーザ）は、表示部７２の表示を視認することにより、当該音声記録再生装置１が現在録音状態で動作していることを確認し得る。
【００５９】
音声記録再生装置１がこの状態にあるとき、使用者（ユーザ）は、装置本体６３の内蔵マイク用開口６０（内蔵マイクロフォン（ＭＩＣ）２０）を録音対象とする対象物、例えば口述者等に向けることにより、当該口述者等から発声される口述内容等の音声を確実に記録することができる。
【００６０】
また、このとき、マイクジャック６１に不図示の外部マイクロフォンの接続用プラグを挿入した状態にすれば、音声記録再生装置１における音声入力部材は、上記内蔵マイクロフォン（ＭＩＣ）２０に代えて外部マイクロフォンへと自動的に切り換わる。これにより、録音対象の音声等を記録する音声入力部材として、外部マイクロフォンを使用することができる。
【００６１】
録音動作が開始した後、使用者（ユーザ）は所望のタイミングで停止ボタン（ＳＴＯＰ）６７をオンすることによって、実行中の録音動作を停止させることができる。
【００６２】
上述のようにして記憶部３２に記録された音声データに基く記録内容を聴取する再生動作を行う際には、次のように操作する。
【００６３】
装置本体６３に設けられる複数の操作設定部材のうち再生ボタン（ＰＬＡＹ）６６をオンすることによって再生動作が開始する。即ち、この操作によって、記憶部３２に記録された音声データに基く記録内容が装置本体６３の内蔵スピーカ（ＳＰ）２７を用いて発音される。
【００６４】
また、このとき、イヤフォンジャック６２に不図示のイヤフォンの接続用プラグを挿入した状態にすれば、音声記録再生装置１における音声出力部材は、上記内蔵スピーカ（ＳＰ）２７に代えてイヤフォンへと自動的に切り換わる。これにより、録音済みの音声等を再生する音声出力部材として、イヤフォンを使用することができる。
【００６５】
再生動作が開始した後、使用者（ユーザ）は所望のタイミングで停止ボタン（ＳＴＯＰ）６７をオンすることによって、実行中の再生動作を停止させることができる。
【００６６】
通常の場合、記憶部３２には、使用者（ユーザ）自身が記録した様々な音声データファイルが記憶されている。これら記録済みの複数の音声データファイルの中から再生を目的とする音声データファイルを検索するときには、早送りボタン（ＦＦ）７０と早戻しボタン（ＲＥＷ）６５とを適宜使用して、表示部７２に表示される音声データファイル名等を順繰りに表示切り換えを行うような操作をする。
【００６７】
一方、記録済みの複数の音声データファイルのうち不要となった音声データファイルは、上述のような検索操作の後に消去ボタン（ＥＲＡＳＥ） ６４をオンすることによって消去することができる。
【００６８】
録音動作や再生動作の実行中、若しくは録音動作や再生動作を開始させる以前の動作待機状態（電源オン状態であってかつ録音動作や再生動作が実行されていない状態をいう）において、メニューボタン（ＭＥＮＵ）６９をオンすると、表示部７２の表示画面上には所定の設定画面が表示される。この設定画面の表示中において、例えば早送りボタン（ＦＦ）７０や早戻しボタン（ＲＥＷ）６５等を操作することによって、複数の各種設定項目、例えばマイク感度の高低設定や録音動作モード（高音質録音モード／標準録音モード／長時間録音モード等）の選択設定、アラーム機能のオンオフ設定等を行なうことができる。なお、上述のように早送りボタン（ＦＦ）７０や早戻しボタン（ＲＥＷ）６５等によって項目を選択した後は、例えば再生ボタン（ＰＬＡＹ）６６をオンすることで選択項目の設定を決定することができる。
【００６９】
上述したように、装置本体６３における背面側外装部材の筐体内面部６３ａには、上記超音波振動発生用アクチュエータ７３と上記筐体内正圧化用アクチュエータ７５とが、前述の取り付け方に従い最適位置に配設されている。
【００７０】
システム制御部２９は、駆動部３６を制御して各アクチュエータ７３，７５を起動し、装置本体６３の筐体内の正圧化と筐体内面の起振を行う。すると、背面側外装部材（の筐体内面部６３ａ）を震源として超音波振動が筐体面を伝搬する。これによって、本実施形態の音声記録再生装置１においては、装置本体６３の筐体外面や、上記各ジャック６１，６２等）の電気的接続用開口部の内部若しくは近傍に付着した液滴等が霧化し飛散して、当該液滴等の強制的な除去を行うことができるように構成されている。
【００７１】
次に、本実施形態の音声記録再生装置１の作用の流れを、図５〜図７のフローチャートによって、以下に説明する。図５は、本発明の一実施形態の音声記録再生装置１の作用の流れを示すフローチャート（メインルーチン）である。図６は、図５のメインルーチンにおける液滴除去処理（ステップＳ１９）のサブルーチンを示すフローチャートである。図７は、図６のフローチャート中における液滴除去＆駆動処理（ステップＳ６３）のサブルーチンを示すフローチャートである。
【００７２】
使用者（ユーザ）が音声記録再生装置１の電源ボタン（不図示）を操作して、当該音声記録再生装置１の電源状態をオン状態に切り換える。これにより、本音声記録再生装置１が起動してシステム制御部２９は図５のメインルーチンの処理シーケンスが開始する。
【００７３】
図５のステップＳ１において、システム制御部２９は、所定の初期設定処理を実行する。この初期設定処理は、各種の設定値を規定の設定値に設定し、システム制御部２９自身の内部バッファメモリ等を初期化する等、一連の処理シーケンスである。この初期設定処理の詳細は、従来一般的な音声記録再生装置等において行われている処理と同様のものである。したがって、その詳細説明は省略する。
【００７４】
続いて、ステップＳ２において、システム制御部２９は、例えば自身の内部に有する内部時計を制御してタイマスタート処理を実行する。ここで実行されるタイマスタート処理による計時結果は、例えば、操作設定部材の無入力状態が所定時間継続した場合に、音声記録再生装置１の通常動作モードを、低消費電力とする待機モード（低消費電流モード）に切り換える際のタイミング決定等に使用される。こうして、本音声記録再生装置１は、録音動作や再生動作を実行し得る通常動作モードで起動する。
【００７５】
この状態、即ち当該音声記録再生装置１が通常動作モードにあるとき、図５のステップＳ３〜ステップＳ１１の処理において、システム制御部２９は、使用者（ユーザ）が複数の操作設定部材（６４〜７１等）を操作することにより発生する各種の操作指示信号や、感知部３７による水濡れ感知信号等の監視を行う。
【００７６】
具体的には、ステップＳ３において、システム制御部２９は、録音ボタン（ＲＥＣ）７１に連動するＲＥＣスイッチ（ＳＷ）からのオン信号の確認を行う。ここで、オン信号が確認されると、ステップＳ１２の録音処理のサブルーチンが実行される。その後、ステップＳ２０の処理に進む。また、オン信号が確認されない場合は、次のステップＳ４の処理に進む。
【００７７】
ステップＳ４において、システム制御部２９は、再生ボタン（ＰＬＡＹ）６６に連動するＰＬＡＹスイッチ（ＳＷ）からのオン信号の確認を行う。ここで、オン信号が確認されると、ステップＳ１３の再生処理のサブルーチンが実行される。その後、ステップＳ２０の処理に進む。また、オン信号が確認されない場合は、次のステップＳ５の処理に進む。
【００７８】
ステップＳ５において、システム制御部２９は、早送りボタン（ＦＦ）７０に連動するＦＦスイッチ（ＳＷ）からのオン信号の確認を行う。ここで、オン信号が確認されると、ステップＳ１４の早送り処理のサブルーチンが実行される。その後、ステップＳ２０の処理に進む。また、オン信号が確認されない場合は、次のステップＳ６の処理に進む。
【００７９】
ステップＳ６において、システム制御部２９は、早戻しボタン（ＲＥＷ）６５に連動するＲＥＷスイッチ（ＳＷ）からのオン信号の確認を行う。ここで、オン信号が確認されると、ステップＳ１５の早戻し処理のサブルーチンが実行される。その後、ステップＳ２０の処理に進む。また、オン信号が確認されない場合は、次のステップＳ７の処理に進む。
【００８０】
ステップＳ７において、システム制御部２９は、停止ボタン（ＳＴＯＰ）６７に連動するＳＴＯＰスイッチ（ＳＷ）からのオン信号の確認を行う。ここで、オン信号が確認されると、ステップＳ１６の停止処理のサブルーチンが実行される。その後、ステップＳ２０の処理に進む。また、オン信号が確認されない場合は、次のステップＳ８の処理に進む。
【００８１】
ステップＳ８において、システム制御部２９は、メニューボタン（ＭＥＮＵ）６９に連動するＭＥＮＵスイッチ（ＳＷ）からのオン信号の確認を行う。ここで、オン信号が確認されると、ステップＳ１７のメニュー変更処理のサブルーチンが実行される。その後、ステップＳ２０の処理に進む。また、オン信号が確認されない場合は、次のステップＳ９の処理に進む。
【００８２】
ステップＳ９において、システム制御部２９は、消去ボタン（ＥＲＡＳＥ）６４に連動するＥＲＡＳＥスイッチ（ＳＷ）からのオン信号の確認を行う。ここで、オン信号が確認されると、ステップＳ１８の消去処理のサブルーチンが実行される。その後、ステップＳ２０の処理に進む。また、オン信号が確認されない場合は、次のステップＳ１０の処理に進む。
【００８３】
ステップＳ１０において、システム制御部２９は、液滴強制除去ボタン（Ｕ−ＳＯＮＩＣ）６８に連動する液滴強制除去スイッチ（Ｕ−ＳＯＮＩＣ  ＳＷ）からのオン信号の確認を行う。ここで、オン信号が確認されると、ステップＳ１９の液滴除去処理のサブルーチン（詳細は図６，図７参照）が実行される。その後、ステップＳ２０の処理に進む。また、オン信号が確認されない場合は、次のステップＳ１１の処理に進む。
【００８４】
ステップＳ１１において、システム制御部２９は、感知部３７からの水濡れ感知信号の確認を行う。ここで、当該水濡れ感知信号が確認されると、ステップＳ１９の液滴除去処理のサブルーチン（詳細は図６，図７参照）が実行される。その後、ステップＳ２０の処理に進む。また、水濡れ感知信号が確認されない場合は、次のステップＳ２１の処理に進む。
【００８５】
上述の各処理のサブルーチン（ステップＳ１２〜ステップＳ１９）の実行終了後にステップＳ２０に進むと、このステップＳ２０において、システム制御部２９は、上記内部時計を制御してタイマ再スタート処理を実行する。その後、上述のステップＳ３の処理に戻る。
【００８６】
なお、上述の録音処理（ステップＳ１２），再生処理（ステップＳ１３），早送り処理（ステップＳ１４），早戻し処理（ステップＳ１５），停止処理（ステップＳ１６），メニュー変更処理（ステップＳ１７），消去処理（ステップＳ１８）の各処理サブルーチンについては、本発明の主な内容に直接関係しない部分であるので、従来より周知の技術手段を用いて実施されるものとし、それらの詳しい説明は省略する。
【００８７】
上述のようにして、全てのスイッチがオフ状態であることが確認されて、ステップＳ２１の処理に進むと、このステップＳ２１において、システム制御部２９は、上記内部時計によるタイマ計時時間が所定の時間をオーバーしたか否かの確認を行う。ここで、タイムオーバーが確認されない場合には、上述のステップＳ３の処理に戻る。一方、タイムオーバーが確認された場合には、次のステップＳ２２の処理に進み、このステップＳ２２において、システム制御部２９は、待機モード処理のサブルーチンを実行する。この待機モードに入ると低消費電流動作になる。
【００８８】
ここで、待機モード処理は、具体的には次のような処理である。即ち、システム制御部２９は、音声入力部３３，音声出力部３４，デジタル信号処理部（ＤＳＰ）２８，表示部７２，記憶部３２，駆動部３６，感知部３７等の各構成ユニットへの供給電流を遮断することによって、当該音声記録再生装置１を低消費電流状態とする。
【００８９】
若しくは、システム制御部２９は、上記各構成ユニットを構成するＩＣに、それぞれ設けられているチップイネーブル端子に対して非選択信号を出力することによって、当該音声記録再生装置１を低消費電流状態にする。
【００９０】
また、この場合において、システム制御部２９は、自らの動作クロックを最も消費電流の少ない低速クロックに切り換えて低消費電流状態とする。さらに、場合によっては、システム制御部２９は、自身の動作クロックをメインクロック（例えば１２．０００ＭＨｚ）からサブクロック（例えば３２．７６８ｋＨｚ）に切り換えて、その後、上記操作スイッチ（ＳＷ）部３１からの入力が検出されるまでの間はメインクロックを完全に停止させるといった制御を行ってもよい。
【００９１】
次に、図５のステップＳ１９の処理、即ち液滴除去処理のサブルーチンの詳細を、図６，図７を用いて以下に説明する。
【００９２】
上述したように、図５のステップＳ１０の処理において液滴強制除去スイッチ（（Ｕ−ＳＯＮＩＣ  ＳＷ）のオン信号が確認されるか、又は図５のステップＳ１１の処理にて感知部３７からの水濡れ感知信号が確認されて、ステップＳ１９の液滴除去処理に進む。
【００９３】
液滴除去処理においては、図６に示すように、まず、ステップＳ６１において、システム制御部２９は、液滴強制除去モードが選択されているか否かの確認を行う。ここで、液滴強制除去モードが選択されていない場合には、ステップＳ６２の処理に進む。また、液滴強制除去モードが選択されていることが確認された場合には、ステップＳ６３の処理に進む。
【００９４】
ステップＳ６２において、システム制御部２９は、水濡れ感知信号が確認されているか否かの確認を行う。ここで、水濡れ感知信号が確認されていない場合には、このサブルーチンを抜けてメインルーチンの元の処理に戻る（リターン）。また、水濡れ感知信号が確認された場合には、ステップＳ６３の処理に進む。
【００９５】
上述のようにして、上記ステップＳ６１の処理にて液滴強制除去モードであることが確認された場合、又は上記ステップＳ６２の処理にて水濡れ感知が確認された場合には、いずれの場合にも、ステップＳ６３の液滴検出＆駆動処理を実行する。
【００９６】
上記ステップＳ６３の液滴検出＆駆動処理の詳細なサブルーチンは、図７のフローチャートに示す通りである。
【００９７】
即ち、まず、図７のステップＳ３０において、システム制御部２９は、例えば自身の内部時計を制御してタイマスタート処理を実行する。ここで行われるタイマ（計時処理）は、当該液滴検出＆駆動処理のサブルーチンにおけるアクチュエータ駆動が無意味に長時間行なわれないようにするためのフェイルセーフ用のアクチュエータ駆動タイマである。
【００９８】
次いで、ステップＳ３１において、システム制御部２９は、録音動作及び再生動作を禁止する処理を実行する。一般に録音動作や再生動作は、当該液滴検出＆駆動処理のサブルーチンにおいて実行するアクチュエータ駆動時のノイズ干渉を極めて受け易いことは周知である。そこで、本実施形態の音声記録再生装置１においては、液滴検出＆駆動処理の実行時、即ち液滴除去処理のためのアクチュエータ駆動時には、録音動作及び再生動作を禁止するようにしている。
【００９９】
そのために、次のステップＳ３２において、システム制御部２９は、表示部７２や告知部３８を制御して、液滴除去処理の動作実行中である旨を使用者（ユーザ）に告知する表示処理を実行する。
【０１００】
ここで、液滴除去処理の実行中を告知する表示処理としては、具体的には例えば、表示部７２の表示画面上に所定のアイコン表示を表示させたり、告知部３８のＬＥＤを点灯又は点滅表示等を行う制御処理である。
【０１０１】
またさらに、液滴除去処理の実行中においては、表示部７２の表示画面において、例えば液滴除去処理の進行状況等を表すアイコン表示やレベルバー表示の伸縮表示等を行ったり、告知部３８のＬＥＤに点滅周期の長短等を制御して処理の進行状況を表示するようにしてもよい。
【０１０２】
続いて、ステップＳ３３において、システム制御部２９は、駆動部３６を制御して筐体内正圧化用アクチュエータ７５を駆動させて、装置本体６３の筐体内の正圧化動作を開始する。
【０１０３】
ステップＳ３４において、システム制御部２９は、所定時間の計時を行う。この計時は、上述のステップＳ３３による筐体内正圧化動作を所定の時間継続させて行うためのものである。ここで、予め設定されている所定時間が経過したら、次のステップＳ３５の処理に進む。
【０１０４】
ステップＳ３５において、システム制御部２９は、駆動部３６を制御して超音波振動発生用アクチュエータ７３を駆動させて、装置本体６３の背面側外装部材の筐体内面部６３ａを振動させる処理を開始する。
【０１０５】
続いて、ステップＳ３６において、システム制御部２９は、感知部３７の水濡れセンサ等からの出力に基づいて水濡れレベルの検出処理を実行する。この水濡れレベル検出処理は、例えば外部接続用マイクジャック６１やイヤフォンジャック６２等の水濡れ状態が概ね解消されているか否かの確認を行うための処理である。
【０１０６】
ステップＳ３７において、システム制御部２９は、上述のステップＳ３６の処理の結果、水濡れ状態が概ね解消されていることが確認された場合には、ステップＳ４２の処理に進む。また、水濡れ状態が概ね解消されていない場合には、次のステップＳ３８の処理に進む。
【０１０７】
ステップＳ３８において、システム制御部２９は、感知部３７の気圧センサ等からの出力に基づいて筐体内圧レベルの検出処理を実行する。
【０１０８】
ステップＳ３９において、システム制御部２９は、上述のステップＳ３８の処理の結果、筐体内圧が所定レベルになっていることが確認された場合には、次のステップＳ４１の処理に進む。また、筐体内圧が所定レベルになっていない場合には、ステップＳ４０の処理に進む。
【０１０９】
ステップＳ４０において、システム制御部２９は、異常検出フラグをセットした後、ステップＳ４２の処理に進む。
【０１１０】
ステップＳ４１において、システム制御部２９は、上述のステップＳ３０の処理にて開始したアクチュエータ駆動タイマを参照し、タイムオーバーであるか否かの確認を行う。ここで、アクチュエータ駆動タイマがタイムオーバーであることを確認した場合には、次のステップＳ４２の処理に進む。また、アクチュエータ駆動タイマが未だタイムオーバーしていないことが確認された場合には、上述のステップＳ３６の処理に戻る。
【０１１１】
このようにして、上述のステップＳ３７の処理にて水濡れが概ね解消された場合、若しくは上述のステップＳ４１の処理にて駆動タイマがタイムオーバした場合、若しくは上述のステップＳ３９の処理にて所定レベルの筐体内圧になっていない場合、の各場合においてステップＳ４２の処理に進む。
【０１１２】
ステップＳ４２において、システム制御部２９は、駆動部３６を制御して超音波振動発生用アクチュエータ７３の駆動停止処理を実行する。
【０１１３】
続いて、ステップＳ４３において、システム制御部２９は、駆動部３６を制御して筐体内正圧化用アクチュエータ７５の駆動停止処理を実行する。
【０１１４】
ステップＳ４４において、システム制御部２９は、録音動作及び再生動作の各動作の禁止を解除、即ち各動作を許可する処理を実行する。
【０１１５】
続いて、ステップＳ４５において、システム制御部２９は、表示部７２や告知部３８を制御して、液滴除去処理の動作実行中である旨の告知表示処理を終了する。その後、元の処理シーケンスに戻る（リターン）。
【０１１６】
なお、受動的な防水部材、例えばシーリング等が施されており、装置本体６３の筐体内の気密性を充分に保持できるような構成である場合には、図７のフローチャートにおけるステップＳ３３，Ｓ３４，Ｓ３８〜Ｓ４０，Ｓ４３の各処理を省略してもよい。
【０１１７】
また、図５のメインルーチンにおける録音処理（ステップＳ１２）及び再生処理（ステップＳ１３）の実行前には液滴除去処理を禁止し、各処理の後、液滴除去処理の禁止を解除するステップを挿入するようにしてもよい。図８は、本実施形態の音声記録再生装置１における作用の変形例を示すフローチャートであって、図５のメインルーチンに対し異なる部分のみを取り出して示している。
【０１１８】
本変形例のフローチャートにおいては、図８に示すように、ステップＳ３において、システム制御部２９は、録音ボタン（ＲＥＣ）７１に連動するＲＥＣスイッチ（ＳＷ）からのオン信号の確認を行う。ここで、オン信号が確認されると、ステップＳ１２の録音処理のサブルーチンを実行する前に、ステップＳ５１においてシステム制御部２９は液滴除去処理を禁止する。この液滴除去処理は、アクチュエータ駆動時に発生する機械的振動ノイズの干渉を回避するために行われる。そして、ステップＳ１２の録音処理を実行し、同録音処理の終了後は、ステップＳ５２においてシステム制御部２９は液滴除去処理の禁止状態を解除する。その後の処理ステップは、図５のフローチャートと同様である。
【０１１９】
また、ステップＳ４において、システム制御部２９は、再生ボタン（ＰＬＡＹ）６６に連動するＰＬＡＹスイッチ（ＳＷ）からのオン信号の確認を行う。ここで、オン信号が確認されると、ステップＳ１３の再生処理のサブルーチンを実行する前に、ステップＳ５３においてシステム制御部２９は液滴除去処理を禁止する。そして、ステップＳ１３の再生処理を実行し、同再生処理の終了後は、ステップＳ５４においてシステム制御部２９は液滴除去処理の禁止状態を解除する。その後の処理ステップは、図５のフローチャートと同様である。
【０１２０】
以上説明したように、本発明の一実施形態における音声記録再生装置１は、装置本体６３の筐体内面の所定位置に固設され圧電素子等からなる超音波振動発生用アクチュエータ７３と、超音波振動発生用アクチュエータ７３の駆動中に装置本体６３の筐体内を正圧化する筐体内正圧化用アクチュエータ７５と、上記超音波振動発生用アクチュエータ７３及び上記筐体内正圧化用アクチュエータ７５を駆動する駆動部３６と、上記各ジャック６１，６２等の電気的接続用開口部の内部若しくは近傍の水濡れ状態を感知する水濡れセンサ及び筐体内圧を感知する気圧センサ等からなる感知部３７と、上記超音波振動発生用アクチュエータ７３の駆動部３６による駆動開始や駆動停止のタイミングを手動設定する操作部とを具備して構成した。
【０１２１】
つまり、本実施形態の音声記録再生装置１は、感知部３７によって上記各ジャック６１，６２等の電気的接続用開口部の内部若しくは近傍における水濡れ状態が感知されると、若しくは使用者（ユーザ）が操作部を操作して所定の手動設定を行うことによって、駆動部３６を介して超音波振動発生用アクチュエータ７３を駆動させ、これにより装置本体６３の筐体壁面を振動させることによって、上記各ジャック６１，６２等の電気的接続用開口部の内部若しくは近傍に付着した液滴等を霧化し飛散させる能動的撥水機能を備えている。
【０１２２】
このような構成によって本実施形態の音声記録再生装置１は、水濡れ等に起因して発生する錆等から、上記各ジャック６１，６２等の電気的接続用開口部の内部若しくは近傍の金属部材を保護することができる。したがって、音声信号の入出力を担う上記各ジャック６１，６２等を常に良好な状態に維持することができるので、これらを介して入出力される音声データの劣化を抑止し、常に良好な音質の音声データを録音及び再生することができる。
【０１２３】
また、告知部３８を設けたことによって、液滴除去処理の実行中には、その旨を示す告知表示を行なうように構成した。当該告知部３８の配設によって使い勝手の向上に寄与することができる。
【０１２４】
そして、録音動作や再生動作の実行中には、超音波振動発生用アクチュエータ７３や上記筐体内正圧化用アクチュエータ７５が駆動されないように上記液滴除去動作を禁止する措置を施している。また、駆動部３６による超音波振動発生用アクチュエータ７３，上記筐体内正圧化用アクチュエータ７５の駆動時には、録音動作や再生動作の実行を禁止している。これにより、録音動作や再生動作の実行中に各アクチュエータ７３，７５から発生する機械的振動ノイズの干渉を回避することができる。
【０１２５】
なお、本発明による能動的撥水機能を実現する構成は、従来の音声記録再生装置等の携帯型小型電子機器において広く適用されている受動的な防水部材、例えばシーリング等の構成と併せて用いることによって、より効果的に撥水防水を行うことができるのは言うまでも無い。
【０１２６】
上述の一実施形態においては、超音波振動発生用アクチュエータ７３と、筐体内正圧化用アクチュエータ７５とを、装置本体６３の筐体内における同一内壁面に各１個を配設した例を示している。しかしながら、本発明を実現する構成は、この例示に限られることはない。例えばアクチュエータ自体の形状や、筐体内における空間的条件等に応じて様々な形態が考えられる。特に、超音波振動発生用アクチュエータについては、筐体内の複数面のそれぞれの最適位置に複数配設することによって、液滴除去能力を強化するような構成も考えられる。
【０１２７】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。
【産業上の利用可能性】
【０１２８】
本発明は、音声記録再生装置に限られることはなく、音声の記録機能及び／又は再生機能を備えており電気的接続用開口部を具備するその他の形態の電子機器、例えばデジタルカメラ，ムービーカメラ，携帯電話，スマートフォン，電子手帳，電子辞書，携帯情報端末，パーソナルコンピュータ，タブレット型端末機器，ゲーム機器，テレビ，時計，ＧＰＳ（Global Positioning System）を利用したナビゲーション機器等、各種の音声記録及び／又は再生機能付き電子機器に対し広く適用することができる。
【符号の説明】
【０１２９】
１…音声記録再生装置，
９…音声記録再生ユニット，
２０…内蔵マイクロフォン（ＭＩＣ），
２１…マイクアンプ（ＡＭＰ），
２２…ローパスフィルタ（ＬＰＦ），
２３…ＡＤ変換器（アナログデジタルコンバータ；ＡＤＣ），
２４…ＤＡ変換器（デジタルアナログコンバータ；ＤＡＣ），
２５…ローパスフィルタ（ＬＰＦ），
２６…パワーアンプ（ＡＭＰ），
２７…スピーカ（ＳＰ），
２８…デジタル信号処理部（デジタルシグナルプロセッサ；ＤＳＰ），
２９…システム制御部，
３１…操作スイッチ（ＳＷ）部，
３２…記憶部（メモリ），
３３…音声入力部，
３４…音声出力部，
３６…駆動部，
３７…水濡れ及び内圧感知部（感知部），
３８…告知部，
５０，５２…交流電圧発生回路，
５１，５３…直流阻止用コンデンサ，
５７ａ…空気取り入れ口，
６０…内蔵マイク用開口，
６１…外部接続用マイクジャック，
６２…イヤフォンジャック，
６３…装置本体，
６３ａ…筐体内面部，
６４…消去ボタン（ＥＲＡＳＥ），
６５…早戻しボタン（ＲＥＷ），
６６…再生ボタン（ＰＬＡＹ），
６７…停止ボタン（ＳＴＯＰ），
６８…液滴強制除去ボタン（Ｕ−ＳＯＮＩＣ），
６９…メニューボタン（ＭＥＮＵ），
７０…早送りボタン（ＦＦ）７０，
７１…録音ボタン（ＲＥＣ）７１，
７２…表示部，
７３…超音波振動発生用アクチュエータ，
７５…筐体内正圧化用アクチュエータ，
【図１】
2016018004.tif 000003
【図２】
2016018004.tif 000004
【図３】
2016018004.tif 000005
【図４】
2016018004.tif 000006
【図５】
2016018004.tif 000007
【図６】
2016018004.tif 000008
【図７】
2016018004.tif 000009
【図８】
2016018004.tif 000010